(57)【要約】【課題】本発明は、エアダクトを容易に着脱できるファンアセンブリを提供することを目的とする。【解決手段】本発明に係るファンアセンブリは、ファンと、エアダクトと、フレームと、を備える。前記ファンは第一端部を備え、前記フレームは固定部を備え、前記固定部には通風孔が設けられ、前記固定部には複数の固定部品が装着され、前記固定部の後側には２つの延伸部が設置され、前記エアダクトは前記延伸部の間に挟持され、前記固定部品は前記第一端部に係合される。【選択図】図１
2015005749.tif 000002
【特許請求の範囲】
【請求項１】
ファンと、
エアダクトと、
フレームと、
を備えてなるファンアセンブリであって、
前記ファンは第一端部を備え、前記フレームは固定部を備え、前記固定部には通風孔が設けられ、前記固定部には複数の固定部品が装着され、前記固定部の後側には２つの延伸部が設置され、前記エアダクトは前記延伸部の間に挟持され、前記固定部品は前記第一端部に係合されることを特徴とするファンアセンブリ。
【請求項２】
前記エアダクトは、枠体と、前記枠体内に回転可能に装着される複数のガイド部と、前記枠体の下部に設置されたラッチと、を備え、前記フレームには前記ラッチを収容する収容孔が設けられていることを特徴とする請求項１に記載のファンアセンブリ。
【請求項３】
更にベースを備え、前記フレームはネジによって前記ベースに固定されることを特徴とする請求項１または２に記載のファンアセンブリ。
【請求項４】
前記ファンは、前記第一端部と対向する第二端部を更に備え、前記ベースには前記第二端部に係合可能な複数の固定部品が装着されることを特徴とする請求項３に記載のファンアセンブリ。
【請求項５】
前記ベースには前記フレームをブロックするブロック片が設置されていることを特徴とする請求項３又は４に記載のファンアセンブリ。
【請求項６】
前記固定部品は弾性材料からなることを特徴とする請求項１から５の何れか一項に記載のファンアセンブリ。
【請求項７】
更にベースを備え、
前記ベースに装着される上カバーを更に備え、前記ファンと、前記フレームと、前記エアダクトとは、前記上カバーと前記ベースとの間に収容されることを特徴とする請求項３から６の何れか一項に記載のファンアセンブリ。
【発明の詳細な説明】
【技術分野】
【０００１】
本発明は、ファンアセンブリに関するものである。
【背景技術】
【０００２】
従来の技術において、エアダクトはネジによってファンの一端に固定され、このファンによって、発生する風の流れをガイドする。しかし、エアダクトの着脱作業は、工具（例えば、ドライバー等）を使用して行なわなければならないため、作業は煩雑である。
【発明の概要】
【発明が解決しようとする課題】
【０００３】
本発明の目的は、前記問題を解決し、エアダクトを容易に着脱できるファンアセンブリを提供することである。
【課題を解決するための手段】
【０００４】
上記目的を達成するために、本発明に係るファンアセンブリは、ファンと、エアダクトと、フレームと、を備える。前記ファンは第一端部を備え、前記フレームは固定部を備え、前記固定部には通風孔が設けられ、前記固定部には複数の固定部品が装着され、前記固定部の後側には２つの延伸部が設置され、前記エアダクトは前記延伸部の間に挟持され、前記固定部品は前記第一端部に係合される。
【発明の効果】
【０００５】
本発明に係るファンアセンブリは、エアダクトをフレームの延伸部の間に挟持させることによってファンに固定するので、容易にエアダクトを着脱できる。
【図面の簡単な説明】
【０００６】
【図１】本発明の実施形態に係るファンアセンブリの分解斜視図である。
【図２】図１に示すファンアセンブリの固定部品の拡大斜視図である。
【図３】図１に示すファンアセンブリのファンと、エアダクトと、フレームとの組立斜視図である。
【図４】図１に示すファンアセンブリの分解斜視図である。
【図５】図１に示すファンアセンブリの組立斜視図である。
【発明を実施するための形態】
【０００７】
図１に示したように、本発明の実施形態に係るファンアセンブリ１０は、ファン２０と、ベース３０と、上カバー４０と、フレーム５０と、エアダクト６０と、を備える。
【０００８】
ファン２０は、平行して設置された第一端部２１及び第二端部２２を備える。第一端部２１の四角には四つのファン固定孔２１１が設けられており、第二端部２２の四角には四つのファン固定孔２２１がそれぞれ設けられている。
【０００９】
ベース３０は、底壁３１と、底壁３１の両側から上方へそれぞれ垂直に延伸する２つの側板３２と、側板３２の上辺の後端を垂直に連接する連接板３３と、底壁３１の前端から上方へ垂直に延伸するブロック片３１１と、を備える。各側板３２には、第一貫通孔３２１及び第一係合孔３２２が設けられている。また、側板３２の前端からは、互いに向けて延伸する２対の当止部３２３がそれぞれ延伸しており、各当止部３２３には固定部品９０が装着されている。連接板３３には、複数の第一装着孔３３１が設けられている。
【００１０】
上カバー４０は、上壁４１と、上壁４１の両側から下方へそれぞれ垂直に延伸する２つの側片４２を備える。各側片４２には、第二貫通孔４２３及び側板３２の第一係合孔３２２に対応して第二係合孔４２１が設けられている。上壁４１には、第一装着孔３３１に対応して複数の装着孔４１４が設けられている。
【００１１】
フレーム５０は、支持部５１と、支持部５１の上面に且つ支持部５１に対して垂直に連接された固定部５２を備える。固定部５２において、その中央部には通風孔５２６が設けられており、四角には、装着穴５２１が設けられている。支持部５１において、固定部５２の後側に隣接する箇所には２つの収容孔５１２が設けられ、固定部５２の後側に隣接する箇所には開口５３が設けられている。支持部５１の両側には下部固定孔５１１がそれぞれ設けられている。また、固定部５２の両側から収容孔５１２の方向に向けて、２つの延伸部５２２がそれぞれ延伸しており、固定部５２の両側の上端から、固定部５２の前側に向けて突出部５２３がそれぞれ垂直に突出し、各突出部５２３には、上部固定孔５２４が設けられている。
【００１２】
エアダクト６０は、矩形且つ中空の枠体６１と、枠体６１内に回転可能に装着された複数のガイド部６２と、枠体６１の下部に設置され且つＬ字状を呈する２つのラッチ６３と、を備える。
【００１３】
図２に示したように、固定部品９０は、クッションとして役立つよう、弾性変形可能な材料、例えばゴムからなる。固定部品９０は、頭部９１と、頭部９１に連接された軸部９２と、を備える。軸部９２は、第一リミット部９２１と、第二リミット部９２２と、挿入部９２３と、を備える。第一リミット部９２１と第二リミット部９２２との間には、突起部９２５が突出している。第一リミット部９２１の直径は頭部９１の直径より小さいが、装着穴５２１の直径とほぼ同じである。第二リミット部９２２の直径は挿入部９２３の直径より小さいが、ファン固定孔２１１及びファン固定孔２２１の直径とほぼ同じである。
【００１４】
図１〜図５を参照すると、ファンアセンブリ１０を組み立てる際、まず、固定部品９０の軸部９２を固定部５２の装着穴５２１にそれぞれ挿通させる。この際、突起部９２５はそれぞれ弾性変形し、第一リミット部９２１は装着穴５２１内にそれぞれ係合されて、固定部品９０はフレーム５０に装着される。次いで、挿入部９２３をファン固定孔２１１にそれぞれ挿通させる。この際、第二リミット部９２２はファン固定孔２１１内に係合され、ファン２０は、固定部５２の前側に装着され且つ突出部５２３の間に挟持される。次に、エアダクト６０の２つのラッチ６３を、フレーム５０の収容孔５１２内にそれぞれ係合させる。これによって、エアダクト６０はフレーム５０の後側に装着され且つ延伸部５２２の間に挟持される。
【００１５】
次に、フレーム５０を底壁３１上に設置し且つブロック片３１１でブロックした後、四つの固定部品９０を、前述の該固定部品９０を前記フレーム５０に装着する方法と同じ装着方法によって当止部３２３に装着する。当止部３２３に装着される固定部品９０はファン固定孔２２１にそれぞれ係合される。次に、２つのネジ９９を第一貫通孔３２１にそれぞれ貫通させて対応する下部固定孔５１１にそれぞれ係合させ、フレーム５０をベース３０に固定する。その後上カバー４０をベース３０に装着する。次に、別の２つのネジ９９を、第二係合孔４２１にそれぞれ貫通させた後、第一係合孔３２２に係合させ、他の２つのネジ９９を第二貫通孔４２３にそれぞれ貫通させた後、対応する上部固定孔５２４にそれぞれ係合させ、更に他の２つのネジ９９を、装着孔４１４にそれぞれ貫通させた後、対応する第一装着孔３３１にそれぞれ係合させる。これによって、上カバー４０はベース３０に装着される。この際、ファン２０、フレーム５０、エアダクト６０は、上カバー４０とベース３０との間に収容される。
【００１６】
使用する際、開口５３はサーバ内の対応する開口(図示せず)に連通され、サーバ内の電子部品によって生じる熱を素早く排出させるためのルートを提供する。また、クッションの働きをする固定部品９０が装着されているので、ファン２０が作動している時に生じる騒音を減少できる。
【符号の説明】
【００１７】
１０  ファンアセンブリ
２０  ファン
２１  第一端部
２１１、２２１  ファン固定孔
２２  第二端部
３０  ベース
３１  底壁
３１１  ブロック片
３２  側板
３２１  第一貫通孔
３２２  第一係合孔
３２３  当止部
３３  連接板
３３１  第一装着孔
４０  上カバー
４１  上壁
４１４  装着孔
４２  側片
４２１  第二係合孔
４２３  第二貫通孔
５０  フレーム
５１  支持部
５１１  下部固定孔
５１２  収容孔
５２  固定部
５２１  装着穴
５２２  延伸部
５２３  突出部
５２４  上部固定孔
５２６  通風孔
５３  開口
６０  エアダクト
６１  枠体
６２  ガイド部
６３  ラッチ
９０  固定部品
９１  頭部
９２  軸部
９２１  第一リミット部
９２２  第二リミット部
９２３  挿入部
９２５  突起部
９９  ネジ
【図１】
2015005749.tif 000003
【図２】
2015005749.tif 000004
【図３】
2015005749.tif 000005
【図４】
2015005749.tif 000006
【図５】
2015005749.tif 000007